(57)【特許請求の範囲】
【請求項１】
携帯電子機器を支持する天板部と、当該天板部から立ち下がる周壁部とを有し、商品包装容器の上端部に被せるように当該商品包装容器に装着することが可能なキャップ型の携帯電子機器用スタンドであって、
前記周壁部に備えられ、前記商品包装容器の上端部に係合して当該携帯電子機器用スタンドを前記商品包装容器に装着できるようにする容器係合部と、
前記天板部に設けられ、携帯電子機器と係合して当該携帯電子機器を前記天板部に支持させることを可能とする機器支持部と、
前記携帯電子機器に対して電力を供給する給電装置と
を備えたことを特徴とする携帯電子機器用スタンド。
【請求項２】
前記機器支持部は、前記携帯電子機器を挟み込むことが可能な挟持溝を含む
請求項１に記載の携帯電子機器用スタンド。
【請求項３】
前記機器支持部は、
前記携帯電子機器の前面側に当接する前支持部と、
前記携帯電子機器の後面側に当接する後支持部と
を有し、
前記前支持部と前記後支持部とで挟むようにして前記携帯電子機器を支持可能とした
請求項１に記載の携帯電子機器用スタンド。
【請求項４】
前記前支持部と前記後支持部のうちのいずれか一方または双方が、
前記携帯電子機器の厚さ方向である前後方向に設置位置を変更可能である
請求項３に記載の携帯電子機器用スタンド。
【請求項５】
前記給電装置は、
電池と、
携帯電子機器と電気的に接続可能で前記電池の電力を前記携帯電子機器へ供給可能なコネクタと
を含む
請求項１から４のいずれか一項に記載の携帯電子機器用スタンド。
【請求項６】
前記コネクタは、携帯電子機器に接続可能なプラグを含み、
当該プラグは、前記機器支持部に携帯電子機器を支持させたときに当該携帯電子機器と電気的に接続するように前記天板部に備えられている
請求項５に記載の携帯電子機器用スタンド。
【請求項７】
前記電池として、バイオ電池を備えた
請求項５または６に記載の携帯電子機器用スタンド。
【請求項８】
前記天板部および前記周壁部によって囲まれた空間内に、前記電池を収納可能で且つ商品包装容器の上面部と連通する電池収納部を備え、
この電池収納部に前記バイオ電池を収納するとともに、
開封状態の商品包装容器に当該携帯電子機器用スタンドを装着した状態で、当該商品包装容器内の飲料を、前記電池収納部に収納したバイオ電池に供給可能とし、これにより、当該飲料を使用して前記バイオ電池で発電を行い、この発電した電力を携帯電子機器に供給可能とした
請求項７に記載の携帯電子機器用スタンド。
【請求項９】
前記電池として、太陽電池を備えた
請求項５または６に記載の携帯電子機器用スタンド。
【請求項１０】
前記電池として、バイオ電池と太陽電池の双方を備えた
請求項５または６に記載の携帯電子機器用スタンド。
【請求項１１】
前記電池として、二次電池を備えるとともに、
非接触電力伝送によりエネルギを受けて前記二次電池に電力を供給するワイヤレス受電部を備えた
請求項５または６に記載の携帯電子機器用スタンド。
【発明の詳細な説明】
【技術分野】
【０００１】
本発明は、スマートフォンなどの携帯電子機器を挟んでこれを立てた状態で支持する携帯電子機器用スタンドに係り、特に、飲料缶などの商品包装容器の上面に装着可能なキャップ型の携帯電子機器用スタンドに関する。また、当該スタンドは、充電機能を備えることがある。
【背景技術】
【０００２】
近年、携帯電話機やスマートフォン、タブレット端末、ゲーム機のような各種の携帯電子機器が提供されており、外出先で通信や音楽鑑賞、動画鑑賞などを楽しむことが可能となった。
【発明の概要】
【０００３】
ところで、上記のような携帯電子機器は、手で持って使用することを前提としているため、画面が見やすいようにテーブル上に立てて置くようなことは一般に出来ない。このため、例えば映画などの動画を鑑賞するような場合に、機器を長時間手で支えていなければならない不便さがある。また、機器の小型化のため、カメラのレンズやストロボ発光部、各種の操作ボタンなどが小さな機器筐体に密集して備えられていることが少なくなく、携帯電子機器自体を手で持って使用する場合に、必ずしも快適な使用感が得られない場合もある。
【０００４】
さらに、これらの電子機器は、従来と比べて大きな画面を持ち、様々な機能を有することから、電池の消耗が大きく、機器内に内蔵されているバッテリでは長時間の使用が難しい。このため、出先でも充電が可能なように、乾電池を利用した充電装置がコンビニエンスストアやキヨスクなどで販売されている。また、そのような充電装置に係る提案として、特開２００３−９２０９５号公報、特開２００４−２０８２６１号公報および特開２００５−２０８６７号公報がある。
【０００５】
しかしながら、上記のような従来の充電装置は、いずれも純粋に充電を行うだけの機能しか備えていないために充電については利便性を享受できるもののそれに留まり、商品として面白みに欠ける面がある。
【０００６】
したがって、本発明の目的は、携帯電子機器を手で持たなくても使用できるようにすることにあり、さらに、需要者にとってより魅力的な携帯電子機器用充電装置を提供することにある。
【０００７】
前記課題を解決し目的を達成するため、本発明に係る携帯電子機器用スタンド（以下単に「スタンド」と言うことがある）は、携帯電子機器を支持する天板部と、当該天板部から立ち下がる周壁部とを有し、商品包装容器の上端部に被せるように当該商品包装容器に装着することが可能なキャップ型の携帯電子機器用スタンドであって、前記周壁部に備えられ、商品包装容器の上端部に係合して当該携帯電子機器用スタンドを商品包装容器に装着できるようにする容器係合部と、前記天板部に設けられ、携帯電子機器と係合して当該携帯電子機器を前記天板部に支持させることを可能とする機器支持部とを備えた。
【０００８】
本発明のスタンドは、上記容器係合部によって商品包装容器の上端部に装着することができ、また、上記機器支持部によって携帯電子機器を支持する（例えば立てた状態で保持する）ことが出来るキャップ状の器具である。
【０００９】
機器支持部は、本発明の一態様では、携帯電子機器を挟み込むことが可能な溝（挟持溝）を含む場合がある。このような態様によれば、当該挟持溝に携帯電子機器を挟み込んで支持させることが出来る。
【００１０】
一方、本発明の別の一態様では、機器支持部が、携帯電子機器の前面側に当接する前支持部と、携帯電子機器の後面側に当接する後支持部とを有することがある。このような態様によれば、これら前支持部と後支持部とで挟むようにして携帯電子機器を天板部に支持させることが出来る。
【００１１】
また、当該前支持部と後支持部のうちのいずれか一方または双方を、携帯電子機器の厚さ方向である前後方向に設置位置を変更可能に構成しても良い。このような態様によれば、様々な厚さの携帯電子機器に柔軟に対応すること、すなわち、様々な厚さの携帯電子機器を天板部に支持させることが可能となる。
【００１２】
さらに、前支持部や後支持部（特に後支持部）を例えば様々な人物・キャラクタや動物、著名な建築物、自然物などを模ったものとしてこれが携帯電子機器を支えるようにしても良い。
【００１３】
携帯電子機器としては、これらに限定されるわけではないが、例えば、携帯電話機、スマートフォン、タブレット端末、ゲーム機などが挙げられる。
【００１４】
また、上記商品包装容器は、典型的には、コーヒーやジュースなどの飲料缶（缶容器）であるが、本発明に言う「容器」並びに「缶」はその種類・材質・サイズ・用途（内容物）を特に問わない。例えば、ジュース・コーラ・サイダーのような清涼飲料、ビール・チューハイ・ハイボールのようなアルコール飲料、おしるこ・タピオカ・所謂飲むゼリー・飲むヨーグルトのような液状食品類、栄養ドリンクなど様々なものが本発明に言う商品包装容器に含まれる。
【００１５】
また、本発明のスタンドは、缶容器以外の商品包装容器、例えばＴシャツ・下着などの衣類、パスタ・菓子などの食品、茶葉・コーヒー豆・タバコのような嗜好品、ゴルフボール・テニスボール・バドミントンシャトル等のスポーツ用具類、玩具、化粧品など様々な商品を包装する（収容する）ケースについても上記缶容器と同様に適用することが可能である。さらに「容器」のサイズは収容する商品に合わせて各種のものであって良く、材質も、金属（例えばアルミやスチール）、樹脂、ガラス、その他の材質のもので良い。
【００１６】
本発明では、このような商品包装容器（例えば開封前の飲料缶や飲み終わった空き缶）に装着するとともに上記携帯電子機器を機器支持部に挟み込み、商品包装容器を手で持って或いはテーブルなどに立て置くことにより携帯電子機器を使用することが出来る。つまり、本発明のスタンドによれば、携帯電子機器を立て置くスタンド（三脚）として、あるいは、携帯電子機器を手で持つグリップ（把持具）として商品包装容器を役立たせることが可能となり、このように携帯電子機器を商品包装容器（スタンド）に装着した状態で、音楽鑑賞や映像鑑賞、ゲーム、ＴＶ電話機能、写真撮影、動画撮影などを行うことが出来る。
【００１７】
なお、缶飲料は、コンビニエンスストアやキヨスク、あるいは自動販売機などで多数販売されており、外出先で簡便に入手することが出来る。本発明のスタンドは、このようにどこででも手に入る缶飲料に付けて販売し、需要者に広く提供することが可能である。
【００１８】
本発明に係るスタンドは、充電機能を、即ち、携帯電子機器に対して電力を供給する給電装置を備えても良い。このような給電装置を備えれば、例えば、外出先で携帯電子機器のバッテリがなくなったときにこれを充電することができ、また、携帯電子機器を本発明に係るスタンドに設置して充電しながら当該機器を使用することも可能となる。
【００１９】
上記給電装置は、例えば、電池と、携帯電子機器と電気的に接続可能で前記電池の電力を携帯電子機器へ供給可能なコネクタとを含む。
【００２０】
また、上記コネクタは、携帯電子機器に接続可能なプラグを含み、当該プラグは、前記機器支持部に携帯電子機器を支持させたときに当該携帯電子機器と電気的に接続するように前記天板部に備えられていることがある。
【００２１】
上記電池としては、例えばバイオ電池を備えることが出来る。この場合、典型的な態様として、前記天板部および前記周壁部によって囲まれた空間内に、前記電池を収納可能で且つ商品包装容器の上面部と連通する電池収納部を備え、この電池収納部にバイオ電池を収納するとともに、開封状態の商品包装容器に当該スタンドを装着した状態で、商品包装容器内の飲料を、電池収納部に収納したバイオ電池に供給可能とし、当該飲料を使用してバイオ電池で発電を行い、この発電した電力を携帯電子機器に供給できるようにする。
【００２２】
バイオ電池の種類は、特に問わない。典型的には、ブドウ糖やグルコースなどの糖類、セルロースや脂肪のような有機物などを酵素で分解して発電する電池が上記バイオ電池として挙げられるが、これらに限られず、例えば、微生物を触媒とする生物燃料電池なども本発明に言うバイオ電池に含まれる。また、酵素を内部に閉じ込めたシート状の材料（いわゆる酵素電極シール）を電極に貼り付けても良い。なお、電池の構造は特に限定されず、具体的構造については問わない。さらに、飲料には水分が含まれているから、水を入れるだけで発電する（水を入れることで化学反応を起こして電池として機能する）いわゆる水電池も本発明に言う電池に含まれる。
【００２３】
一方、前記電池として、太陽電池を備えても良い。この太陽電池としては、例えば、薄膜太陽電池（例えば有機薄膜太陽電池など）を好ましく使用することが出来る。また、前記電池として、バイオ電池と太陽電池の双方を備えることも可能である。また、前記電池として乾電池を備えることも出来る。
【００２４】
さらに、前記電池として、二次電池を備えるとともに、非接触電力伝送によりエネルギを受けて当該二次電池に電力を供給するワイヤレス受電部を備えるようにしても良い。このような態様によれば、本スタンド内に備えた二次電池にワイヤレス充電によって充電を行い、この電力を携帯電子機器に供給することが出来る。
【００２５】
また、給電装置に、二次電池や電気二重層コンデンサ（スーパーコンデンサ）を含め、これらから携帯電子機器に電力を供給するようにしても良い。なお、これら二次電池や電気二重層コンデンサに対しては、上記のように太陽電池やバイオ電池を備えてこれらから電力を供給し充電を行うようにしても良いし、例えば商用電源から当該二次電池や電気二重層コンデンサに対して充電を行うことが出来るようにしても良い。
【００２６】
また、前記天板部および周壁部によって囲まれた空間を、物品収容部とし、この物品収容部内に景品や他の様々な物品を収容して当該商品と一緒に顧客に提供することで当該商品（例えば缶飲料）の販売促進を図ることも可能である。なお、本発明のスタンドは、携帯電子機器を立てるスタンドとして役に立つものであり、それ自体が当該商品の販売促進に寄与する機能を果たすことが出来る。
【００２７】
さらに、本発明のスタンドでは、携帯電子機器に関連した他の様々な機能を付加するモジュールや部品（例えば、後に述べる可視光通信を行うための通信モジュール・受光部（図２６の符号４６）・ピンプラグ（図２６の符号４３）、Ｗｉ-Ｆｉ等の無線ＬＡＮや衛星通信その他の通信を行うための通信モジュールや補助アンテナ（外付アンテナ）、ＩＣカード・メモリカード・磁気カード等の読み書きを行うリーダライタ、タッチスイッチのように携帯電子機器を操作するための外付入力装置、外部スピーカなど）を上記給電装置に代え、あるいは給電装置とともに備えることも可能である。
【００２８】
なお、携帯電子機器に機能を付加するこれらのモジュールや部品と携帯電子機器との接続は、有線で（伝送ケーブルを通じて）行っても良いが、無線（例えばブルートゥース（Bluetooth）（登録商標）等）を通じて行うようにしても良い。
【００２９】
本発明の他の目的、特徴および利点は、図面を参照しながら述べる以下の本発明の実施の形態の説明により明らかにする。なお、各実施形態の説明において、同一または相当する部分には同一の符号を付して重複した説明を省略する。
【図面の簡単な説明】
【００３０】
【図１】図１は、本発明の第１の実施形態に係る携帯電子機器用スタンド（携帯電子機器および飲料缶を装着していない状態）を示す斜視図である。
【図２】図２は、前記第１実施形態に係るスタンドの使用状態（携帯電子機器および飲料缶を装着した状態）を示す斜視図である。
【図３】図３は、前記第１実施形態のスタンドを分解して示す斜視図である。
【図４】図４は、前記第１実施形態のスタンドを示すブロック図である。
【図５】図５は、前記第１実施形態に係るスタンドの内部構造（飲料缶に装着した状態）を示す断面図である。
【図６】図６は、前記第１実施形態に係るスタンドの内部構造（外部筐体と内部筐体を分離した状態）を示す分解断面図である。
【図７】図７は、前記第１実施形態に係るスタンドの飲料缶との係合部（図５の符号Ａ部分／飲料缶への装着前の状態）を拡大して示す断面図である。
【図８】図８は、前記第１実施形態に係るスタンドの飲料缶との係合部（図５の符号Ａ部分／飲料缶への装着後の状態）を拡大して示す断面図である。
【図９】図９は、前記第１実施形態に係るスタンドの係止フランジを示す底面図である。
【図１０】図１０は、前記第１実施形態に係るスタンドの別の構成例を示す分解斜視図である。
【図１１】図１１は、前記図１０の構成例の内部構造（飲料缶に装着した状態）を示す断面図である。
【図１２】図１２は、前記図１０の構成例の内部構造（外部筐体と内部筐体を分離した状態）を示す分解断面図である。
【図１３】図１３は、本発明の第２の実施形態に係る携帯電子機器用スタンド（飲料缶に装着した状態）を示す斜視図である。
【図１４】図１４は、前記第２実施形態のスタンドを示すブロック図である。
【図１５】図１５は、前記第２実施形態のスタンドの変形例を示す斜視図である。
【図１６】図１６は、前記図１５に示した変形例に係るスタンドの使用状態を例示する斜視図である。
【図１７】図１７は、前記第２実施形態に係るスタンドの変形例を示す断面図である。
【図１８】図１８は、前記第２実施形態の変形例に係るスタンドを示すブロック図である。
【図１９】図１９は、本発明の第３の実施形態に係る携帯電子機器用スタンドを示すブロック図である。
【図２０】図２０は、本発明の第４の実施形態に係る携帯電子機器用スタンドを示すブロック図である。
【図２１】図２１は、本発明の第５の実施形態に係る携帯電子機器用スタンドを示す斜視図である。
【図２２】図２２は、前記第５実施形態に係るスタンドの内部構造を示す断面図（図２１のＸ１−Ｘ１断面）である。
【図２３】図２３は、前記第５実施形態に係るスタンドの内部構造を示す断面図（図２１のＹ１−Ｙ１断面）である。
【図２４】図２４は、前記第５実施形態に係るスタンドの内部構造（プラグを引き出した状態）を示す断面図（図２１のＹ１−Ｙ１断面）である。
【図２５】図２５は、前記第５実施形態に係るスタンドの使用状態の一例を示す斜視図である。
【図２６】図２６は、本発明の第６の実施形態に係る携帯電子機器用スタンド（携帯電子機器を装着する前の状態）を示す斜視図である。
【図２７】図２７は、前記第６実施形態に係るスタンド（携帯電子機器を装着した後の状態）を示す斜視図である。
【図２８】図２８は、本発明における機器支持部の別の構成例を示す斜視図である。
【図２９】図２９は、前記図２８に示した構成例の分解斜視図（後支持部を外した状態を示す）である。
【図３０】図３０は、本発明における機器支持部のさらに別の構成例を示す斜視図である。
【図３１】図３１は、本発明における容器係合部の別の構成例を示す底面図である。
【図３２】図３２は、本発明における容器係合部のさらに別の構成例を示す底面図である。
【図３３】図３３は、本発明における容器係合部のさらに別の構成例を示す底面図である。
【図３４】図３４は、本発明における容器係合部のさらに別の構成例を示す斜視図である。
【図３５】図３５は、前記図３２に示した容器係合部を示す断面図（スタンドの断面図）である。
【図３６】図３６は、本発明に係る携帯電子機器用スタンドの別の構成例を示す平面図である。
【図３７】図３７は、前記図３６に示した構成例の断面図である。
【発明を実施するための最良の形態】
【００３１】
〔第１実施形態〕
図１〜図９に示すように、本発明の第１の実施形態に係る携帯電子機器用スタンド１１は、飲料缶５の上面部に装着することができ、スマートフォンや携帯電話機などの携帯電子機器１を立てた状態で支持するとともに、携帯電子機器１を充電する充電機能（給電装置）を備えたものである。【００３２】
スタンド１１は、有蓋無底の（天板は有るが底は無い）円筒状の全体形状を有して飲料缶５に被せて嵌合させることが可能な外部筐体２１と、この外部筐体２１の内部に収容可能な円筒状の内部筐体３１とを備える。外部筐体２１は、円盤状の天板部２１ａと、天板部２１ａの周縁部から立ち下がる筒状の周壁部２１ｂとを有し、底面は内部筐体３１を受け入れるとともに、飲料缶５の上縁部を挿入することが出来る開口２１ｃとしてある。【００３３】
開口２１ｃの周縁部、言い換えれば、周壁部２１ｂの内面側の下端部には、全周に亘って、係止フランジ２２を形成してある。この係止フランジ２２は、飲料缶５の上縁部に形成されている凹溝６に嵌り込んで当該スタンド１１を飲料缶５に支持させることを可能とするもので、外部筐体周壁部２１ｂの内面下端からスタンドの中心向け斜め上方に突出するように外部筐体２１と一体に形成し、先端（内方）へ向かうにつれて肉薄に、即ち、先端が尖った形状としてある（図７〜図８参照）。【００３４】
係止フランジ２２は、スタンド１１を飲料缶５に装着すると、飲料缶５の凹溝６に入り込んでその先端が缶外面に当接する。なお、係止フランジ２２の上方には、当該係止フランジ２２と平行に且つ周壁部２１ｂの全周に亘って水平に延びるように凸条２６を形成し、この凸条２６と係止フランジ２２とで飲料缶５の上縁部を挟むようにした。【００３５】
一方、天板部２１ａの上面には携帯電子機器５を挟み込んで支持させることを可能とする挟持溝２３を形成してある。この挟持溝２３は、携帯電子機器１を挟み込めるように、対象とする携帯電子機器１の厚さ寸法に対応した溝幅を有する。なお、挟持溝２３の位置は、天板部２１ａの中央から前方にずらして配置したが、形成位置は特に問わない。また、複数の（例えば天板部２１ａの前端部と後端部のそれぞれ互いに平行な２本の）挟持溝２３を備えて複数台（例えば２台）の携帯電子機器１を支持できるスタンドを構成することも可能である。【００３６】
挟持溝２３の長さ方向の中央部には、スタンド１１が備える給電装置（充電モジュール５２に含まれる給電回路）と携帯電子機器１とを接続するコネクタのプラグ４１（携帯電子機器１の差込口２に差し込むプラグ４１）が起立状態で天板部２１ａを貫通できるようにプラグ孔２５を形成してある。【００３７】
なお、上記挟持溝２３の内側（特に溝２３の内面側壁）には、ラバー材などの弾力性と滑り止めの機能を有する弾性部材（図示せず）を配置しておいても良い。このような態様によれば、携帯電子機器１をより確実に支持するとともに、厚さの違いを吸収することが可能となり、肉厚寸法の異なる各種の携帯電子機器１や、カバーを装着している機器１に対してもこれらを挟持溝２３内に柔軟に受け入れて支持することが出来る。【００３８】
内部筐体３１は、外部筐体２１と同様に、円盤状の天板部３１ａと、円筒状の周壁部３１ｂとを備えているが、その上部に携帯電子機器１へ給電を行うための充電モジュール（給電回路）５２やプラグ４１を備える一方、その下部に電池収納部５０を形成した。なお、図中の符号５５はバイオ電池の電極を示している。【００３９】
プラグ４１は、携帯電子機器１を挟み込んだときに当該機器１の底面部に備えられたプラグ差込口２に当該プラグ４１が差し込まれるように（図２，図４等参照）、前記外部筐体２１のプラグ孔２５を貫通し、挟持溝２３内で上方に突出するように設置してある。一方、電池収納部５０は、バイオ電池５１を収容するとともに、このバイオ電池５１に飲料缶５内の飲料を供給できるように底面に開口を備えている。開封した（プルトップを開けた）飲料缶５にスタンド１１を装着し、飲料缶５を傾ければ、当該開口を通じて電池収納部５０内のバイオ電池５１に飲料を供給することができ（図５の矢印Ｂ参照）、この飲料を燃料としてバイオ電池５１は発電を行う。【００４０】
なお、上記のように電池収納部５０に飲料が供給される様子を外部から観察できるよう外部筐体２１および内部筐体３１は、透光性を有する材料（例えば透明な樹脂）で形成する。また、このスタンド１１や後述の各実施形態のスタンド１１では、二次電池やコンデンサ（例えば電気二重層コンデンサ（スーパーコンデンサ））を更に備え、バイオ電池５１（又は太陽電池６１）で発電された電力をこの二次電池やコンデンサに一旦蓄えた後に携帯電子機器１に供給するようにしても良い。【００４１】
また、充電モジュール（給電回路）５２の具体的な回路構成は、携帯電子機器１に充電を行える限り特に問わない。当該給電回路は、例えば昇圧回路、電流逆流防止回路、電流制御回路、電圧制御回路などを含むことが出来るが（後に述べる各実施形態についても同様）、要は、電池の電力をプラグ４１を通じて携帯電子機器１に供給可能なものであれば如何なるものであっても良い。【００４２】
内部筐体３１の下面開口の周縁部、即ち、周壁部３１ｂの下端には、内部筐体３１と飲料缶上面部と間の水密状態を保持するためのシール部３１ｃを全周に亘って備えてある。シール部３１ｃは、水を透さないシール材（例えばゴムのような弾性部材）からなり、スタンド１１を飲料缶５に装着すると（外部筐体２１を飲料缶５に嵌合させると）飲料缶５の天板に押し当てられて飲料が電池収納部５０から外部へ漏れることを防ぐ。【００４３】
外部筐体２１や内部筐体３１の構造は、様々なものとすることが出来る。図１０〜図１２はこれら筐体の他の構成例を示すものであるが、この例では、外部筐体２１を上下に２つの部分、即ち、上部筐体２１１と下部筐体２１２とに分け、これら上部筐体２１１と下部筐体２１２を相対回転に連結することにより外部筐体を構成した。下部筐体２１２の内周面と、内部筐体３１の外周面とには、互いに噛み合う螺子２８，３３をそれぞれ形成してあり、下部筐体２１２を回すと（図１０の矢印Ｃ参照）、内部筐体３１が下方へ進行するようにしてある。【００４４】
このような構造によれば、スタンド１１を飲料缶５に装着した後、下部筐体２１２を回して内部筐体３１を下方へ進行させることにより、内部筐体３１（シール部３１ｃ）を飲料缶５の天板に強く押し付けて飲料の漏れをより確実に防ぐことが出来る。なお、下部筐体２１２を回転させたときにこれと一緒に内部筐体３１が回転してしまわないように、上部筐体２１１の内周面には上下方向に延びる凹溝２７を、内部筐体３１の外周面にはこの凹溝２７内に嵌入する突起３２を、それぞれ形成してある。当該突起３２は、内部筐体３１の下方への進行に伴って凹溝２７内を下方へ進行するが、回転方向へは凹溝２７に阻止されて回転せず、これにより内部筐体３１の回転を防ぐことが出来る。【００４５】
〔第２実施形態〕
図１３〜図１４に示すように、本発明の第２の実施形態に係るスタンド１１は、前記第１実施形態のスタンド１１と同様の構造を有する外部筐体２１と内部筐体３１とを備え、内部筐体３１の内部にバイオ電池５１を有するが、これに加えて太陽電池６１を設けたものである。太陽電池６１は、薄膜太陽電池からなる。なお、当該太陽電池は、前記第１実施形態より外部筐体２１の周壁部２１ｂを下方へ長く引き延ばしてその表面に貼り付けるように備えても良いし、外部筐体２１はそのままの形状として、周壁部２１ｂの表面にパネル状の太陽電池を別に設置しても構わない。【００４６】
また、図１４は本スタンド１１を機能面から捉えたブロック図であり、このため、太陽電池６１は実際には外部筐体２１の表面（外側）に備えるが、図１４では内部筐体３１の中に太陽電池６１を示している（他の実施形態に係るブロック図でも同様）。また、太陽電池６１の形状は図示の例以外にも様々なものであって良い。【００４７】
また、本実施形態のスタンド１１は、電源（電池）を切り替える電池切替部５３を備えている。この電池切替部５３は、充電モジュール５２に供給する電力を、（１）バイオ電池５１からか、（２）太陽電池６１からか、或いは（３）バイオ電池５１と太陽電池６１の双方からか、を切り替えることが出来るスイッチであるが、このようなスイッチを特に設けずに、充電モジュール５２には常にバイオ電池５１と太陽電池６１の双方から電力を供給するよう構成しても良い。また、本実施形態ではバイオ電池５１と太陽電池６１の双方を備えることとしたが、太陽電池６１のみを備えるスタンドを構成することも勿論可能である。【００４８】
外部筐体２１には、電池収納部５０を外部から観察できるように覗き窓２９を設けた。さらに、本実施形態では、機器支持部２３に備えたプラグ４１とは別に、外部への電源出力を可能とする外部接続コネクタ４５を備えた。この外部接続コネクタ４５は、後に述べるケーブルコネクタ４０（図２４参照）のように引き出すことが可能で、バイオ電池５１や太陽電池６１で発電した電力を、当該コネクタ４５を通じて他の機器（例えばスマートフォンや携帯電話機、Ｗｉ-Ｆｉルータ等）に供給することが可能である。なお、このような外部接続コネクタ４は、省くことも出来るし、前記第１実施形態や他の実施形態、それらの変形例のスタンドにおいても同様に備えることが可能である。【００４９】
図１５〜図１６は太陽電池６１を展開できるようにした構成例を示している。これらの図に示すように、パネル状の太陽電池６１を外部筐体２１の天板部２１ａ或いは周壁部２１ｂにヒンジ６２を介して回動自在に設置しても良い。このような構成によれば、図１６に示すように太陽電池６１を広げて効率良く光を受けることが可能となる。なお、ヒンジ６２は、太陽電池パネル６１が垂直になった状態（図１５）と、水平になった状態（図１６）との間で、自由な角度で当該パネル６１を停止状態に保持することが出来る。【００５０】
また、上記ヒンジ６２に代え、ユニバーサルジョイントのように角度変更の自由度が高い継ぎ手を介して太陽電池パネル６１を設置すれば、発電のための光をより効率良く受けられるようにすることが出来る。また、太陽電池（パネル）６１の形状は、図示した例のほかにも、様々な形状や配置パターンを採用することができ、図示の例に限定されない。さらに、太陽電池６１は、商品包装容器（飲料缶５）側に配置することも可能で、この場合には、スタンド１１を当該容器５に装着したときに容器側に備えた太陽電池とスタンド側とを電気的に接続する端子を備えておけば良い。【００５１】
〔第２実施形態の変形例〕
図１７〜図１８は上記第２実施形態の変形例に係るスタンドを示すものである。これらの図に示すようにこのスタンドは、バイオ電池５１に特定色の光を照射するＬＥＤ（Light Emitting Diode）１５１を更に備えたものである。【００５２】
ＬＥＤを使って様々な野菜に特定色の光を集中的に照射することで所望の栄養価を増加させることが出来ること、例えばリーフレタスは赤色の波長の光を浴びるとブドウ糖やオリゴ糖が増えて甘みが増すことが知られている。そこで、この変形例に係るスタンドでは、特定色（例えば赤色）のＬＥＤ１５１を備えて当該ＬＥＤ１５１からの光をバイオ電池５１に照射することにより糖分を増加させてバイオ電池５１の発電効率を高める。ＬＥＤ１５１への電力は太陽電池６１から供給する。また、ＬＥＤ１５１の光が電池収納部５０に備えたバイオ電池５１に到達するように、内部筐体中間部の隔壁３１ｄは、透光性を有する材料（例えば透明な樹脂）により形成する。【００５３】
また、ＬＥＤ１５１を冷却し、ＬＥＤ１５１の発光効率を高めるため、ＬＥＤチップ１５１を熱伝導率の高い材料からなる基板（例えばアルミニウム基板）１５２に直接設置する。同様に、内部筐体３１の周壁部３１ｂも熱伝導率の高い材料（例えばアルミニウムなどの金属材料）により形成し、これらＬＥＤチップ１５１、アルミニウム基板１５２および内部筐体周壁部３１ｂが互いに接触するようにする。また、スタンドを飲料缶５に装着したときに内部筐体３１の周壁部３１ｂが当該飲料缶５に接触するようにする（図１７参照）。【００５４】
これにより、ＬＥＤ１５１で発生する熱を、飲料缶５へ熱伝導により逃がしてＬＥＤ１５１を冷却することが出来る。なお、缶飲料は冷やして販売されていることが多く、このような飲料缶５に装着すれば、ＬＥＤ１５１の冷却効率が一層高められる。【００５５】
〔第３実施形態〕
本発明の第３の実施形態に係るスタンドは、図１９に示すように、前記第２実施形態と同様に太陽電池６１を備えるものであるが、太陽電池６１で発電した電力を二次電池５６に蓄え、この二次電池５６から携帯電子機器１に供給するようにしたものである。このため、太陽電池６１のほかに、二次電池５６と、太陽電池６１で発電した電力を二次電池５６に供給して二次電池５６を充電する充電モジュール（第１給電回路）５４と、二次電池５６に蓄えられた電力をプラグ４１を通じて携帯電子機器１に供給するための充電モジュール（第２給電回路）５２とを備えている。【００５６】
二次電池５６としては、例えばリチウムイオン電池、ニッケル‐水素電池、ニッケル‐カドミウム電池などを使用することが出来る。また、二次電池に代え、電気二重層コンデンサ（スーパーコンデンサ）を備えても良い。【００５７】
〔第４実施形態〕
本発明の第４の実施形態に係るスタンドは、前記第３実施形態のスタンドと同様に二次電池５６を備えるが、この二次電池５６を充電するのに、非接触電力伝送による充電方法（電磁誘導を利用したワイヤレス充電）を用いるものである。【００５８】
具体的には、図２０に示すように本実施形態のスタンドは、前記第３実施形態が備える充電モジュール（第１給電回路）５４に代え、コイル（図示せず）を内蔵しワイヤレス送電部５８で発生された磁束を受けて電流を生じさせるワイヤレス受電部５７を備え、当該ワイヤレス受電部５７で発生された電力を二次電池５６に蓄え、二次電池５６に蓄えた電力を充電モジュール（第２給電回路）５２およびプラグ４１を通じて携帯電子機器１に供給する。【００５９】
なお、上記ワイヤレス給電部（ワイヤレス送電部５８及びワイヤレス受電部５７）は、例えばＱｉ（Wireless Power Consortium／ワイヤレスパワーコンソーシアム）規格に準拠したものとすれば良い。また、当該スタンド（ワイヤレス受電部５７）への電力の送電方式は、本実施形態では電磁誘導方式（Ｑｉ方式）としたがこれに限られず、他の電磁誘電方式であっても良いし、電磁誘導方式以外、例えば電界を利用してエネルギを伝送する電界結合方式やその他の非接触型送電方法であっても構わない。【００６０】
〔第５実施形態〕
本発明の第５の実施形態に係るスタンドは、携帯電子機器１に接続するプラグ４１を引き出し可能に構成したものである。【００６１】
具体的には、図２１〜図２５に示すように携帯電子機器１と給電装置（電池および給電回路）とを接続するケーブルコネクタ４０を備える。このケーブルコネクタ４０は、携帯電子機器１に接続するプラグ４１と、プラグ４１と給電回路５２とを接続するケーブル４２とからなる。プラグ４１は、前述した各実施形態のスタンドと同様に、携帯電子機器１を挟持溝２３に支持させたときに当該携帯電子機器１に接続されるように天板部２１ａ，３１ａに設置してあるが、このプラグ４１を引き出すことが可能である（図２４〜図２５参照）。なお、図においてコネクタ４０、給電回路５２および電池７１などを接続する配線や端子は図示を省略している。【００６２】
挟持溝２３の底面には、引き出されたケーブル４２を収容可能なケーブル溝２４を備える。引き出したケーブル４２を当該ケーブル溝２４に収容することで、携帯電子機器１を支持させたときに引き出されたケーブル４２が邪魔になることがなく、図２５に示すように携帯電子機器１を横にした状態でもこれを挟持溝２３に支持させることが出来る。【００６３】
また、本実施形態では、携帯電子機器１を充電する電池として乾電池７１を内部筐体内に備えた。このように本発明では、携帯電子機器１を充電する電池として、乾電池（例えばマンガン電池又はアルカリ電池等）やリチウム電池、水銀電池などを使用することも可能である。【００６４】
〔第６実施形態〕
本発明の第６の実施形態に係るスタンドは、前記各実施形態のスタンドと同様に携帯電子機器（スマートフォン）を立て、また、充電する機能を備えるものであるが、当該スマートフォンによって可視光通信を可能とするものである。【００６５】
具体的には、図２６〜図２７に示すように、可視光通信の光を受ける受光部４６をスタンド１１の背面（後面）側に備え、この受光部４６により可視光通信に係る光を受信し、また、スマートフォン１に備えられた発光ライト４から光を送信することで通信を行う。また、当該通信を行うために必要に応じて、前記プラグ４１と同様にスマートフォン１のピンプラグ差込口３に接続可能なピンプラグ４３を機器支持部（挟持溝２３内）にさらに備え、また、通信モジュールを内部筐体内に内蔵する。【００６６】
〔機器支持部の変形例〕
機器支持部は、前記各実施形態では挟持溝２３としたが、例えば、図２８〜図２９に示すように外部筐体天板部２１ａの前端位置に形成したテーブル（台地）状の前支持部１０１と、外部筐体天板部２１ａの中央部に設置した後支持部１０２とにより機器支持部を構成することも可能である。これら前支持部１０１と後支持部１０２とは、互いに平行に左右方向に延びる内側面を有し、各内側面（前支持部１０１の後面と後支持部１０２の前面）が互いに対向し、これにより両支持部１０１，１０２間に前記各実施形態の挟持溝２３と同様の溝が形成される。【００６７】
携帯電子機器１を両支持部１０１，１０２の間に挿入すると、前支持部１０１が当該機器１の前面側に当接し、後支持部１０２が当該機器１の後面側に当接して、携帯電子機器１をスタンド（外部筐体２１）の天板部２１ａに支持することが出来る。両支持部１０１，１０２の間には、前記挟持溝２３による構造と同様にプラグ４１（図示せず）を備えることが出来る。【００６８】
後支持部１０２は、下方へ突出する一対の脚部１０３を底面に備えており、これらの脚部１０３を、外部筐体天板部２１ａの上面に穿設してある穴１０４に差し込むことにより外部筐体２１の天板部２１ａに取り付ける。また、天板部２１ａの当該穴１０４は、前後方向に配列するように複数組設けてあり、これにより後支持部１０２の取付位置を前後方向について変更可能となっている。これにより様々な厚さの機器１を支持させることが可能である。なお、この例のように取付穴１０４を配列形成するのではなく、例えば、後支持部１０２を前後にスライド可能に（前後方向に摺動可能に）備えても同様の目的（後支持部１０２を位置変更可能にすること）を達成することが出来る。【００６９】
また、図３０に示すように後支持部を、キャラクタ１０５を模った形状を有するものとすることも可能である。【００７０】
〔容器係合部の変形例〕
飲料缶５への嵌合構造（容器係合部）は、飲料缶５からスタンド１１が外れることを防ぐ点、ならびに、電池収納部５０に供給した飲料が外部に漏れることを防ぐ点からは、前記各実施形態のように周壁部２１ｂの全周に亘って連続して延びる係止フランジ２２（前記図９参照）を使用することが望ましいが、このほかにも様々な嵌合構造とすることが可能である。【００７１】
例えば、当該容器係合部は、図３１に示すように適宜の隙間を空けて断続的（断片的）に備えた係止フランジ２２としても良い。このような断片的な係止フランジ２２によれば、スタンド１１の商品包装容器５への着脱が容易となる利点がある。また、図３２や図３３に示すようにスタンド１１（外部筐体２１）の中心に向け曲線状（弧状）に突出するように係止フランジ２２を備えても良い。【００７２】
さらに、図３４〜図３５に示すように、開口２１ｃの周縁部に沿って周壁部２１の内面側下端部に一定の間隔で突起部（係止突起）２２を形成し、これらの係止突起２２が、飲料缶上縁部の凹溝６に嵌り込むようにしても良い。【００７３】
以上、本発明の実施の形態について説明したが、本発明はこれに限定されるものではなく、特許請求の範囲に記載の範囲内で種々の変更を行うことができることは当業者に明らかである。【００７４】
例えば、スタンドの外観形状は、前記実施形態では略円柱状の全体形状を有するものとしたが、四角柱形状や多角柱形状、その他様々な形状であって良い。また、前記実施形態では、充電機能（給電装置やプラグ）を備えたが、充電機能を備えずに携帯電子機器を立てるスタンド機能（機器支持部）のみを備えるスタンドを構成することも勿論可能である。【００７５】
また、前記各実施形態のスタンドは単一の（１本の）飲料缶５装着するものとしたが、例えば２本又は３本以上の缶に対して装着可能なスタンドを構成することも可能である。例えば２本の飲料缶５に装着可能なものとしては、図３６〜図３７に示すように当該スタンド１１（外部筐体と内部筐体）の平面形状を陸上トラックのような楕円（長円）形状にして、２本の飲料缶５を立て且つ横に並べた状態でこれらを束ねるように２本の飲料缶５に装着できるようにすれば良い。なお、このような複数本の包装容器５に装着可能なスタンドについても、前記実施形態と同様に、プラグや給電装置などを備えることが出来る。【００７６】
さらに、商品包装容器に装着せずに単独でスタンドを使用する（例えばスタンドを直接テーブルの上に置いて使用する）ときにスタンドの転倒を防止するため、スタンドの外周面（外部筐体の周壁部）から外方に張り出してスタンドを支える支持脚を備えることも出来る。【００７７】
また、本発明、実施形態および変形例として説明した各特徴、例えば、容器係合部や機器支持部（挟持溝、前支持部および後支持部）、給電装置（バイオ電池や太陽電池、乾電池、二次電池など）などは、説明した組み合わせ以外にも、任意に組み合わせて本発明に係るスタンドを構成することが出来ることは当業者に明らかである。
【符号の説明】
【００７８】
１  携帯電子機器
２  プラグ差込口
３  ピンプラグ差込口
４  発光ライト
５  飲料缶
６  飲料缶上端部の凹溝
７  プルトップ（飲み口）
１０  缶係合部
１１  携帯電子機器用スタンド
２１  外部筐体
２１ａ  外部筐体の天板部
２１ｂ  外部筐体の周壁部
２１ｃ  外部筐体の下面開口
２２  容器係合部（係止フランジ又は係止突起）
２３  挟持溝
２４  ケーブル溝
２５  プラグ孔
２６  凸条
２７  回転阻止用凹溝
２８，３３  螺子
２９  覗き窓
３１  内部筐体
３１ａ  内部筐体の天板部
３１ｂ  内部筐体の周壁部
３１ｃ  シール部
３２  回転阻止用突起
４０  ケーブルコネクタ
４１  プラグ
４２  ケーブル
４３  ピンプラグ
４５  外部接続コネクタ
４６  可視光通信用の受光部
５０  電池収納部
５１  バイオ電池
５２，５４  充電モジュール（給電回路）
５５  バイオ電池の電極
５６  二次電池
５７  ワイヤレス受電部
５８  ワイヤレス送電部
６１  太陽電池（太陽電池パネル）
７１  乾電池
１０１  前支持部
１０２  後支持部
１０３  後支持部の脚部
１０４  後支持部用取付穴（後支持部を取り付けるための穴）
１０５  キャラクタを模った後支持部
１５１  ＬＥＤチップ
１５２  アルミニウム基板
２１１  上部筐体
２１２  下部筐体
【要約】
携帯電子機器を支持する天板部と、天板部から立ち下がる周壁部とを有し、商品包装容器の上端部に被せるように商品包装容器に装着できるキャップ型の携帯電子機器用スタンドであって、周壁部に備えられて商品包装容器の上端部に係合し当該スタンドを商品包装容器に装着できるようにする容器係合部と、天板部に設けられて携帯電子機器と係合し当該機器を天板部に支持させることを可能とする機器支持部と、携帯電子機器に対して電力を供給する給電装置（電池とコネクタ）とを備えた。【図１】
0005570088.tif 000002
【図２】
0005570088.tif 000003
【図３】
0005570088.tif 000004
【図４】
0005570088.tif 000005
【図５】
0005570088.tif 000006
【図６】
0005570088.tif 000007
【図７】
0005570088.tif 000008
【図８】
0005570088.tif 000009
【図９】
0005570088.tif 000010
【図１０】
0005570088.tif 000011
【図１１】
0005570088.tif 000012
【図１２】
0005570088.tif 000013
【図１３】
0005570088.tif 000014
【図１４】
0005570088.tif 000015
【図１５】
0005570088.tif 000016
【図１６】
0005570088.tif 000017
【図１７】
0005570088.tif 000018
【図１８】
0005570088.tif 000019
【図１９】
0005570088.tif 000020
【図２０】
0005570088.tif 000021
【図２１】
0005570088.tif 000022
【図２２】
0005570088.tif 000023
【図２３】
0005570088.tif 000024
【図２４】
0005570088.tif 000025
【図２５】
0005570088.tif 000026
【図２６】
0005570088.tif 000027
【図２７】
0005570088.tif 000028
【図２８】
0005570088.tif 000029
【図２９】
0005570088.tif 000030
【図３０】
0005570088.tif 000031
【図３１】
0005570088.tif 000032
【図３２】
0005570088.tif 000033
【図３３】
0005570088.tif 000034
【図３４】
0005570088.tif 000035
【図３５】
0005570088.tif 000036
【図３６】
0005570088.tif 000037
【図３７】
0005570088.tif 000038